(57)【要約】本発明は、セルラー無線通信ネットワークにおいて通信されるＲＦ信号を送信／受信する第１の手段を含む無線通信端末装置に関し、前記第１の手段は、セルラーネットワークにおいて別の端末装置またはネットワーク自体との通信が全くセットアップされていないとき、待機モードになる。本発明は、端末装置が、マルチメディアコンテンツの集合的データに専用の少なくとも１つ搬送波を受信するための第２の手段を含むことを特徴とし、前記第２の手段は、第１の手段が待機モードになっているときにのみアクティブ化される。また、本発明は、集合的データをブロードキャストしおよび受信する方法、ならびにマルチメディアコンテンツをブロードキャストするシステムにも関する。
2005518704.tif 000002
【特許請求の範囲】
【請求項１】
セルラーモバイル無線ネットワーク（ＧＳＭ、ＵＭＴＳ）において通信するために対のデータ／音声搬送波上で送信／受信するように構成された無線周波数信号を送信／受信する第１の手段（Ａ）を有するモバイル無線端末装置であって、前記第１の手段はセルラーネットワークを介して別の端末装置とまたはネットワーク自体とコールが全くセットアップされていないときに、待機モードとなり、
マルチメディアコンテンツの集合的情報のブロードキャストに専用の少なくとも１つのダウンリンク搬送波を受信する第２の手段（Ｂ）を含み、前記第２の手段は第１の手段が待機モードであるときにのみアクティブ化されることを特徴とする端末装置。
【請求項２】
無線周波数信号を受信する第２の手段（Ｂ）が、Ｗ−ＣＤＭＡ  ＵＴＲＡ  ＦＤＤアップリンク搬送波と必ずしも対になっていないＷ−ＣＤＭＡ  ＵＴＲＡ  ＦＤＤダウンリンク搬送波を受信するように構成されていることを特徴とする請求項１に記載の端末装置。
【請求項３】
第２の受信手段（Ｂ）が、少なくとも１対のアップリンクとダウンリンクのＷ−ＣＤＭＡ  ＵＴＲＡ  ＦＤＤ搬送波を交互に送信／受信するように構成された第２の送信手段に結合され、前記第２の送信／受信手段が、データ／音声を送信／受信する役割である、前記第１の送信／受信手段の役割を有することを特徴とする請求項１または２に記載の端末装置。
【請求項４】
セルラー音声通信ネットワーク（ＧＳＭ、ＵＭＴＳ）、およびマルチメディアコンテンツをブロードキャストするシステムによって使用されるクロック、ＰＤＣＰ／ＢＭＣレイヤ、ＲＲＣレイヤ、ＲＬＣレイヤ、ＭＡＣレイヤ、およびＰＨＹレイヤを含むパラメータが、端末装置のメモリシステム（１９）内で分割されて、前記セルラーネットワーク（ＧＳＭ、ＵＭＴＳ）、および端末装置にマルチメディアコンテンツをブロードキャストするためのシステムの搬送波の各々に関連するクロックおよび構成を提供することを特徴とする請求項１から３のいずれか一項に記載の端末装置。
【請求項５】
第１の送信／受信手段が待機状態に置かれた後に、マルチメディアコンテンツ情報搬送波を受信するために第２の手段をアクティブ化する切り替え手段（７）を含むことを特徴とする請求項１から４のいずれか一項に記載の端末装置。
【請求項６】
セルラーネットワークにおけるコールに優先順位が割り当てられ、切り替え手段が、前記ネットワークにおいてコールが生じたときに、第１の送信／受信手段をアクティブ状態に切り替えるように構成されていることを特徴とする請求項１から５のいずれか一項に記載の端末装置。
【請求項７】
端末装置の制御手段（４）が、前記セルラーネットワークによって伝送されたメッセージのコンテンツを定期的な時間間隔で制御するように構成され、前記切り替え手段が、制御手段からの命令（Ｓｃ）に応じて、第１の送信／受信手段および第２の送信／受信手段をそれぞれアクティブ化するように構成されていることを特徴とする請求項５または６に記載の端末装置。
【請求項８】
受信されたマルチメディアコンテンツの集合的情報のストリームを格納するための記憶手段（１７）を含むことを特徴とする請求項１から７のいずれか一項に記載の端末装置。
【請求項９】
第１の送信／受信手段の回路（５、８、１１、１３、１５）の少なくとも一部が、第２の受信手段の回路（６、９、１２、１４、１６）の一部分と共通であることを特徴とする請求項１から８のいずれか一項に記載の端末装置。
【請求項１０】
第１の送信／受信手段が、ＧＳＭシステムおよび／またはＵＭＴＳシステムについて確保された周波数帯域で動作するように構成され、第２の受信手段が、ＩＭＴ２０００高ビットレート伝送について確保された周波数帯域で動作するように構成されていることを特徴とする請求項１から９のいずれか一項に記載の端末装置。
【請求項１１】
マルチメディアコンテンツの集合的情報に専用の搬送波が、少なくとも１つ衛星セグメントと地上中継器群（２４）とを含む集合的情報送信システムの衛星（１８）によって伝送され、使用される周波数帯域が、好ましくは、衛星モバイルシステムについて確保されたＩＭＴ２０００帯域であることを特徴とする請求項１から１０のいずれか一項に記載の端末装置。
【請求項１２】
集合的情報に専用の搬送波が、集合的情報ブロードキャストシステムの地上中継器（２４）によって伝送され、使用される周波数帯域が、ＩＭＴ２０００帯域であることを特徴とする請求項１から１０のいずれか一項に記載の端末装置。
【請求項１３】
請求項１から１２に記載の複数の端末装置（２０）への広域ブロードキャスト伝送のステップを含む、集合的情報送信システムによるマルチメディアコンテンツの集合的情報をブロードキャストする方法であって、
符号化の冗長性を有するデータパケットで集合的情報の伝送を繰り返し、セルラーネットワーク上のメッセージの端末装置による要求される監視を可能にすることを特徴とする方法。
【請求項１４】
セルラーモバイル無線ネットワークにおいて通信するための第１の無線周波数信号送信／受信手段を含むモバイル無線端末装置（２０）によって集合的情報を受信する方法であって、前記第１の手段はセルラーネットワークを介して別の端末装置またはネットワーク自体と全くコールがセットアップされていないとき待機モードとなり、
第１の送信／受信手段の待機モードを検出するステップと、
待機モードが検出されたときに、マルチメディアコンテンツの集合的情報に専用である搬送波の受信をアクティブ化するステップとを含むことを特徴とする方法。
【請求項１５】
少なくとも１つの端末装置（２０）にマルチメディアコンテンツをブロードキャストするためのシステムであって、
複数のソース（２５、２５’）から受信されたマルチメディアコンテンツをグループ化し、多重化するためのサービスセンタ（ＢＭ−ＳＣ）と、
前記サービスセンタによって送信された情報を受信するように構成され、マルチメディアコンテンツ搬送波を送信するための送信手段（ＨＴＴＲ  Ｔｘ２８）を含むマルチメディアコンテンツコンセントレータ（２１）と、
該搬送波を受信して、該搬送波を少なくとも１つの地上中継器（２４）に向かう第２の搬送波に変換するように構成された再送信衛星とを有し、
前記地上中継器が、前記第２のマルチメディアコンテンツ搬送波を受信する手段（３０）と、前記第２の搬送波から前記マルチメディアコンテンツ情報を抽出して、端末装置によって受信されるように構成された第３の搬送波上で該マルチメディアコンテンツ情報を転送する手段（３４）とを含むことを特徴とするシステム。
【請求項１６】
コンセントレータが、前記マルチメディアコンテンツ情報を第４の搬送波上で衛星（１８）に送信する第２の手段（２９）を含み、該衛星（１８）が、第４の搬送波を端末装置が直接に受信するように構成された第３の搬送波に変換するように構成されていることを特徴とする請求項１５に記載のシステム。
【請求項１７】
衛星によりおよび地上中継器群によって伝送される第３の搬送波上に変調されたＣＤＭＡ信号が、該信号のコヒーレントな結合を可能にする時間窓の中で端末装置によって受信されることを特徴とする請求項１６に記載のシステム。
【発明の詳細な説明】
【技術分野】
【０００１】
本発明は、モバイル無線端末装置、マルチメディアコンテンツをブロードキャストするためのシステム、関連するブロードキャスト方法、およびその種類のモバイル無線端末装置において使用するためのマルチメディアコンテンツの集合的情報を受信するための方法に関する。端末装置は、専用無線リソースを介して集合的情報をブロードキャストするようにマルチメディアコンテンツをブロードキャストするためのシステムに関する。システムは、地上送信機群、静止の、または静止ではないブロードキャスト衛星群のネットワーク、あるいはブロードキャスト衛星群と地上中継器の組み合わせに基づく。
【背景技術】
【０００２】
本発明の文脈では、「集合的マルチメディア情報」という表現は、無線通信システムの一部のユーザ、またはすべてのユーザの関心対象である任意のタイプ（ビデオ、ラジオ、テキスト、アニメーション、ダウンロード可能なソフトウェアなど）の情報を指す。
【０００３】
今日、モバイル電話のシステムおよびアーキテクチャを管理する当技術分野で知られている様々な標準が存在する。それらの標準には、詳細には、グローバルシステムフォーモバイルテレコミュニケーションズ（Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎｓ）（ＧＳＭ）標準、ならびに第三世代（３Ｇ）高ビットレートモバイル伝送を管理するより新しいユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）（ＵＭＴＳ）標準が含まれる。「ＧＳＭネットワーク」という表現は、当技術分野で知られているＧＰＲＳサービスおよびＧＥＲＡＮサービス、ならびにその拡張も指す。
【０００４】
以上に述べた順序で、以上の標準は、ポイントツーポイント接続に関して（すなわち、２名のユーザ間の通信に関して）音声／データをますます高い伝送ビットレートでトランスポートする利点を提供する。
【０００５】
しかしながら、現在まで、集合的情報をブロードキャストするための問題解決方はほとんどなく、前述した標準は、その用途にうまく適していない。
【０００６】
このタイプのブロードキャストは、セルラーモバイル無線ネットワークのユーザの集団全体に無差別にブロードキャストする場合、「ブロードキャスト」と呼ばれるが、情報のアドレスが、その集団のサブセットを構成する場合は、「マルチキャスト」として知られる。マルチキャストの場合、サブセットは、例えば、対応する加入によって定義されることが可能である。
【発明の開示】
【発明が解決しようとする課題】
【０００７】
したがって、本発明は、ユーザが、モバイル電話ネットワークを介してコールを受信する能力を維持しながら、ブロードキャストシステムから集合的情報を受信することができるように、セルラーモバイル無線ネットワークに接続されたモバイル無線端末装置へのブロードキャストまたはマルチキャストを可能にすることを目的とする。例えば、集合的情報は、端末装置を動作させるためのソフトウェア、または訓練プログラムなどのブロードキャストセルのユーザの特定の関心対象である広告、ラジオ番組またはテレビジョン番組、またはソフトウェアを含むことが可能である。一般に、これは、対象ユーザに届くことが予定される任意のマルチメディアコンテンツ（音声および／またはビデオおよび／またはデータ）に対応する。
【課題を解決するための手段】
【０００８】
この目的で、本発明は、セルラーモバイル無線ネットワークにおいて通信するために対のデータ／音声搬送波上で送信／受信するように構成された無線周波数信号を送信／受信する第１の手段を有するモバイル無線端末装置であって、前記第１の手段はセルラーネットワークを介して別の端末装置とまたはネットワーク自体とコールが全くセットアップされていないときに、待機モードとなり、
マルチメディアコンテンツの集合的情報のブロードキャストに専用の少なくとも１つのダウンリンク搬送波を受信する第２の手段を含み、前記第２の手段は第１の手段が待機モードであるときにのみアクティブ化されることを特徴とする端末装置より構成される。
【０００９】
本発明により、ユーザのコールは、搬送波上の集合的情報の受信および／または送信によって妨げられないことに留意されたい。本発明に従う特定のブロードキャストモードを使用して、セルラーネットワークコール搬送波と集合的情報ブロードキャスト搬送波の並存の問題を解決することにより、集合的情報送信局において中断を管理するための専用デバイスを提供する必要性が回避される。したがって、本発明は、既存のインフラストラクチャの転換および最適化を可能にする。また、本発明は、単に切り替え手段（以下を参照）、および第２の受信手段の中断を管理するためのアドオン（一般に、ソフトウェアアドオン）を要するだけなので、端末装置だけの変更を要する。
【００１０】
本発明は、端末装置の単位原価を増大させることなく、遠隔通信システムの残りの部分を大幅に変更することなく端末装置の使用を最適化するので、ハードウェアの点で特に有益である。ＧＳＭ標準およびＵＭＴＳ標準に適合するマルチモード端末装置は、本発明の端末装置をもたらすのにわずかなハードウェア変更のみを要する。
【００１１】
一実施形態では、無線周波数信号を受信する第２の手段は、Ｗ−ＣＤＭＡ  ＵＴＲＡ  ＦＤＤアップリンク搬送波と必ずしも対になっていないＷ−ＣＤＭＡ  ＵＴＲＡ  ＦＤＤダウンリンク搬送波を受信するように構成される。
【００１２】
一実施形態では、第２の受信手段が、少なくとも１対のアップリンクとダウンリンクのＷ−ＣＤＭＡ  ＵＴＲＡ  ＦＤＤ搬送波を交互に送信／受信するように構成された第２の送信手段に結合され、前記第２の送信／受信手段は、データ／音声を送信／受信する役割である、前記第１の送信／受信手段の役割を有する。
【００１３】
一実施形態では、セルラー音声通信ネットワーク、およびマルチメディアコンテンツをブロードキャストするシステムによって使用されるクロック、ＰＤＣＰ／ＢＭＣレイヤ、ＲＲＣレイヤ、ＲＬＣレイヤ、ＭＡＣレイヤ、およびＰＨＹレイヤを含むパラメータが、端末装置のメモリシステム内で分割されて、前記セルラーネットワーク、および端末装置にマルチメディアコンテンツをブロードキャストするためのシステムの搬送波の各々に関連するクロックおよび構成を提供する。
【００１４】
一実施形態では、端末装置は、第１の送信／受信手段が待機状態に置かれた後に、マルチメディアコンテンツ情報搬送波を受信するために第２の手段をアクティブ化する切り替え手段を含む。
【００１５】
一実施形態では、セルラーネットワークにおけるコールに優先順位が割り当てられ、切り替え手段が、前記ネットワークにおいてコールが生じたときに、第１の送信／受信手段をアクティブ状態に切り替えるように構成される。
【００１６】
一実施形態では、端末装置の制御手段が、前記セルラーネットワークによって伝送されたメッセージのコンテンツを定期的な時間間隔で制御するように構成され、前記切り替え手段が、制御手段からの命令に応じて、第１の送信／受信手段および第２の送信／受信手段をそれぞれアクティブ化するように構成される。
【００１７】
一実施形態では、端末装置は、受信されたマルチメディアコンテンツの集合的情報のストリームを格納するための記憶手段を含む。
【００１８】
一実施形態では、第１の送信／受信手段の回路の少なくとも一部が、第２の受信手段の回路の一部分と共通である。
【００１９】
一実施形態では、第１の送信／受信手段が、ＧＳＭシステムおよび／またはＵＭＴＳシステムについて確保された周波数帯域で動作するように構成され、第２の受信手段が、ＩＭＴ２０００高ビットレート伝送について確保された周波数帯域で動作するように構成される。
【００２０】
一実施形態では、マルチメディアコンテンツの集合的情報に専用の搬送波が、少なくとも１つ衛星セグメントと地上中継器群とを含む集合的情報送信システムの衛星によって伝送され、使用される周波数帯域が、好ましくは、衛星モバイルシステムについて確保されたＩＭＴ２０００帯域である。
【００２１】
一実施形態では、集合的情報に専用の搬送波が、集合的情報ブロードキャストシステムの地上中継器によって伝送され、使用される周波数帯域が、ＩＭＴ２０００帯域である。
【００２２】
本発明は、本発明による複数の端末装置への広域ブロードキャスト伝送のステップを含む、集合的情報送信システムによるマルチメディアコンテンツの集合的情報をブロードキャストする方法であって、符号化の冗長性を有するデータパケットで集合的情報の伝送を繰り返し、セルラーネットワーク上のメッセージの端末装置による要求される監視を可能にすることを特徴とする方法も提供する。
【００２３】
本発明は、セルラーモバイル無線ネットワークにおいて通信するための第１の無線周波数信号送信／受信手段を含むモバイル無線端末装置によって集合的情報を受信する方法であって、前記第１の手段はセルラーネットワークを介して別の端末装置またはネットワーク自体と全くコールがセットアップされていないとき待機モードとなり、
第１の送信／受信手段の待機モードを検出するステップと、
待機モードが検出されたときに、マルチメディアコンテンツの集合的情報に専用である搬送波の受信をアクティブ化するステップとを含むことを特徴とする方法をさらに提供する。
【００２４】
本発明は、少なくとも１つの端末装置にマルチメディアコンテンツをブロードキャストするためのシステムであって、
複数のソースから受信されたマルチメディアコンテンツをグループ化し、多重化するためのサービスセンタと、
前記サービスセンタによって送信された情報を受信するように構成され、マルチメディアコンテンツ搬送波を送信するための送信手段を含むマルチメディアコンテンツコンセントレータと、
該搬送波を受信して、該搬送波を少なくとも１つの地上中継器に向かう第２の搬送波に変換するように構成された再送信衛星とを有し、
前記地上中継器が、前記第２のマルチメディアコンテンツ搬送波を受信する手段と、前記第２の搬送波から前記マルチメディアコンテンツ情報を抽出して、端末装置によって受信されるように構成された第３の搬送波上で該マルチメディアコンテンツ情報を転送するための手段（３４）とを含むことを特徴とするシステムをさらに提供する。
【００２５】
システムの一実施形態では、コンセントレータが、前記マルチメディアコンテンツ情報を第４の搬送波上で衛星に送信する第２の手段を含み、該衛星は、第４の搬送波を端末装置が直接に受信するように構成された第３の搬送波に変換するように構成される。
【００２６】
システムの一実施形態では、衛星によりおよび地上中継器群によって伝送される第３の搬送波上に変調されたＣＤＭＡ信号が、該信号のコヒーレントな結合を可能にする時間窓の中で端末装置によって受信される。
【００２７】
本発明の理解を容易にするため、次に、本発明の限定的でない実施形態を添付の図面の助けを借りて説明する。
【発明を実施するための最良の形態】
【００２８】
１．ＧＳＭ（またはＵＭＴＳ）音声搬送波を受信／送信し、Ｓ−ＵＭＴＳマルチメディアコンテンツ搬送波を受信する端末装置
図１に示した本発明の第１の実施形態では、デュアルモードＧＳＭ／ＵＭＴＳ端末装置が、アーキテクチャに大きな影響を与えることなしに、集合的ブロードキャストサービスの利点を獲得する（ＧＳＭへの言及は、ＧＰＲＳを含むことを想い起こされたい）。
【００２９】
最も広く一般に使用される３Ｇ端末装置（すなわち、ＵＭＴＳ標準に従った端末装置）は、たいてい、２０００年７月に公表された「Ｔｈｉｒｄ  Ｇｅｎｅｒａｔｉｏｎ  Ｐａｒｔｎｅｒｓｈｉｐ  Ｐｒｏｊｅｃｔ」（Ｔｅｃｈｎｉｃａｌ  Ｓｐｅｃｉｆｉｃａｔｉｏｎ  Ｇｒｏｕｐ  Ｔｅｒｍｉｎａｌｓ；Ｍｕｌｔｉ−ｍｏｄｅ  ＵＥ  ｉｓｓｕｅ：Ｃａｔｅｇｏｒｉｅｓ，ｐｒｉｎｃｉｐｌｅｓ  ａｎｄ  ｐｒｏｃｅｄｕｒｅｓ）、参照３Ｇ  ＴＲ２１．９１０  Ｖ３．０．０の文脈の中で作成された「端末装置グループ」の技術仕様に従うマルチモード端末装置であるものと想定される。これらのマルチモード端末装置は、ＧＳＭ／ＧＰＲＳネットワークまたはＧＳＭ／ＵＭＴＳネットワークにおいて動作することができなければならず、特にＵＭＴＳネットワークの展開段階にわたって最も広く一般に使用される端末装置である。これらの端末装置は、ユーザが、ＵＭＴＳ地域外でＧＳＭネットワークの電話サービスへのアクセスを保つことを可能にする。ＧＳＭネットワークの有効範囲は、本出願の出願日の時点で、実質的に欧州の８５％であるが、政府の指導の結果、今後、拡大することに留意されたい。
【００３０】
これらの端末装置が、コールを受信する可能性を保持しながら、ブロードキャストシステムを介してマルチメディアの集合的情報を受信することができるようにする本発明の仕組みを以下に説明する。
【００３１】
ブロードキャストシステムが、３ＧＰＰによって規定されるＵＴＲＡ  ＦＤＤ無線インターフェースに基づいてＷ−ＣＤＭＡ搬送波を送信する。さらに、ブロードキャストシステムは、トランスポートレイヤで、送信されるコンテンツに適用される（ファイルレベルで）保護技術を実施し、大きな多数の送信の中断に耐えることを可能にする。この技術は、ＦＥＣ予防的誤り符号化、インターリーブ技術、またはカルーセルタイプの送信繰り返しに基づく。
【００３２】
端末装置は、ＧＳＭネットワーク上またはＵＭＴＳネットワーク上に登録されるように構成されることが可能である。一旦、２つのネットワークのどちらかに登録されると、端末装置は、ネットワークに「接続」される。この実施形態では、端末装置は、ＧＳＭネットワークの音声搬送波上で動作し、したがって、以下に説明するとおり、そのＧＳＭデータ処理能力を音声コール用に使用するものと想定される。説明しないが、明らかに本発明の範囲の一部を成す別の動作モードでは、本発明の端末装置は、音声コール用にそのＵＭＴＳネットワークデータ処理能力を使用して、ＵＭＴＳネットワークの音声搬送波上で通信する。これらの２つの排他的な音声通信モード（ＧＳＭ音声搬送波またはＵＭＴＳ音声搬送波）に加えて、マルチメディアコンテンツのデータが、ＵＭＴＳブロードキャスト搬送波上で伝送され、端末装置は、そのＵＭＴＳ処理能力を使用してそのデータを回復する。
【００３３】
端末装置が、通信していないが、ネットワークを監視しているとき、端末装置は、「アイドル」モードに入っており、このモードでは、端末装置は、ネットワークと同期されたままであり、可能な着信コールを端末装置に知らせるＣＣＣＨ上で伝送されるページングメッセージを定期的に「リッスン」しなければならない。また、端末装置は、基地トランシーバ局（ＢＴＳ）から受信された信号を測定して、より受信の良好な新たな基地トランシーバ局へのハンドオーバが適切であるかどうかを決定しなければならない。それ以外の時間は、端末装置は、電力を節約するために待機状態にある。
【００３４】
図１に示すとおり、本発明の端末装置２０は、ＧＳＭネットワークのデータ／音声を送信／受信するように構成された第１の無線周波数信号送信／受信システムＡと、ＵＭＴＳネットワークのデータを送信／受信するように構成された第２の無線周波数信号送信／受信システムＢとを含む。この２つのシステムは、同一の送信／受信アンテナ３に接続される。各システムは、それぞれの受信／送信部１と、それぞれの信号処理部２とを含む。
【００３５】
アンテナ３は、アンテナ機能によって受信された無線信号の低雑音の増幅および周波数転位を提供する電子デバイス５、６に接続される。
【００３６】
２つのシステムに共通のスイッチングマトリックス７が、受信部１を信号処理部２に接続し、システムＢの信号処理部を受信部６に接続することを、システムＡが、コールを許すために、またはＧＳＭ／ＧＰＲＳセルラーネットワークメッセージを監視するためにアクティブにされていないという条件付きで許可する。これは、マイクロコントローラ４によって検証される。
【００３７】
各信号処理部２は、本明細書で詳細に説明しない一連の従来のデバイス、すなわち、広帯域フィルタ８、９、共通搬送波獲得ユニット１０、追跡ユニット１１、１２、復調器１３、１４、および復号器１５、１６を含む。
【００３８】
２つのシステムは、集合的情報搬送波の中断に対処するために、並外れて大きい記憶容量を有する同一の補償バッファメモリ１７を共有する。したがって、例えば、集合的情報のストリームが、ＧＳＭ／ＧＰＲＳネットワーク上のコールによって中断された場合、既に受信された情報は、欠落している情報が受信されるまで、メモリ１７の中にバッファリングされる。
【００３９】
図１に示した端末装置の実施形態は、以下のように動作する。
【００４０】
前述したとおり、端末装置２０は、ドキュメント３Ｇ  ＴＲ２１．９１０  ｖ３．０．０で規定された少なくとも１つのタイプ２デュアルモード端末装置である。一方のモードでは、端末装置は、ＧＳＭ／ＧＰＲＳ帯域で受信／送信する。他方のモードでは、本発明によれば、端末装置は、代替として、ＵＭＴＳネットワークの対になったアップリンクとダウンリンクのＷ−ＣＤＭＡ  ＵＴＲＡ  ＦＤＤ搬送波上で受信／送信し、アップリンク搬送波と必ずしも対になっておらず、例えば、マルチメディアコンテンツの集合的情報をブロードキャストすることに専用であるダウンリンクＷ−ＣＤＭＡ  ＵＴＲＡ  ＦＤＤ搬送波上で受信する。このタイプのデュアルモード端末装置は、第１のモードで動作しているときに、第２のモードの制御能力および追跡能力を有する。以上の標準によれば、集合的情報搬送波を受信／送信するためにＵＭＴＳ帯域を使用することが有利である。搬送波が衛星によって伝送される場合、Ｓ−ＵＭＴＳ帯域が使用されるのに対して、搬送波が、地上送信システムの地上送信機によって送信される場合は、Ｔ−ＵＭＴＳ帯域が使用される。
【００４１】
公称モードでは、端末装置は、ページングメッセージを受信しており、隣接するセルのＢＴＳからの信号を評価してハンドオーバ（「位置更新」または「ルーティング地域更新」）の利益を評価しており、ネットワークと同期するプロセスを続けている。
【００４２】
このため、端末装置のデュアルモード動作に関連する制約は、端末装置が、ネットワーク上で待機状態にあるとき、ＣＣＣＨ上で伝送されるＧＳＭページングメッセージを追跡するために「目を覚ます」必要性に由来する。端末装置が目を覚ましてネットワーク上のページングメッセージをリッスンしなければならない頻度は、ＧＳＭ基地局ページング割り振りマルチフレームパラメータ、ＢＳ−ＰＡ−ＭＦＲＭＳで定義される。このパラメータは、２から９までの値に設定することができ、そのマルチフレーム数の後に端末装置がページングメッセージをリッスンしなければならないマルチフレーム５１の数に対応する。マルチフレーム５１の持続時間が、２４０ミリ秒であり、そのマルチフレーム数の後に端末装置がページングメッセージをリッスンしなければならないマルチフレームの最少の数が２であることから、ＧＳＭネットワーク上の端末装置が２回、目を覚ます間の最小時間は、４８０ミリ秒である。もちろん、現実には、この平均時間は、端末装置を目覚めさせて、待機状態に戻すためのプロセスの時間のため、わずかにより短い。同時受信の競合を以下に説明する。
【００４３】
端末装置が、制御信号Ｓｃによりてマイクロコントローラ４からの命令を受信したマトリックス７を介して切り替えられ、集合的情報搬送波を受信／送信するためのモードで動作するのは、この平均時間中である。しかしながら、ネットワークからの着信／発信コール、またはページングメッセージタイプ要求が出現するとすぐに、集合的情報受信／送信モードよりもＧＳＭモードに常に優先順位が与えられる。
【００４４】
したがって、本発明は、端末装置のＧＳＭネットワーク待機期間を利用して、ブロードキャストシステムの専用Ｗ−ＣＤＭＡ搬送波群の１つの搬送波上で送信される集合的マルチメディア情報を受信することが明らかである。
【００４５】
ブロードキャストシステムのトランスポートレイヤの中で実施される保護技術は、端末装置が、受信の頻繁な中断にも関わらず、送信された集合的情報を再構成することを可能にするように設計される。
【００４６】
ページングメッセージをリッスンすること、および隣接する基地トランシーバ局からの信号を監視することに関連する「スリープ状態に入る」期間および「目を覚ます」期間に関連する中断を管理するための機構は、集合的情報ブロードキャストシステムからＷ−ＣＤＭＡ搬送波を受信するためのモードに、また逆に、ページングメッセージをリッスンするＧＳＭ動作モードに端末装置を切り替えることを指令するため、同期を維持するため、および隣接する基地トランシーバ局からの信号を監視するために使用される。
【００４７】
ブロードキャストシステムのトランスポート機構は、ＢＴＳの移転を実行するためにＧＳＭネットワークを介してポイントツーポイントセッションをアクティブ化することによって生じる中断より長い中断を改善するように拡張することができ、ブロードキャストコンテンツへのアクセスが、サービスのユーザに限定される場合、ブロードキャストコンテンツを復号化するためのキーを回復するようにさえ拡張することができる。さらに、このセッションは、ブロードキャストシステムのブロードキャストモードまたはマルチキャストモードを利用するサービスを実施するのに役立つあらゆる情報を伝送することができる。
【００４８】
これらのトランスポート機構は、集合的情報のストリームのレベルで適用される符号化法およびインターリーブ法に基づく。これらの方法は、ブロードキャスト集合的情報ストリームにおいて冗長性をもたらす。本発明によれば、インターリーブ深度および符号化レベルは、ページングメッセージをリッスンするために必要な中断に応じて調整される。また、冗長性は、端末装置が、ブロードキャスト集合的情報を再構成することも可能にする。さらに、ブロードキャスト保護は、「カルーセル（ｃａｒｏｕｓｅｌ）」という用語で一般に呼ばれるプロセスに従って、より長い間隔の再送信の戦略を使用することにより、強化することができる。
【００４９】
以下に、両方の搬送波における同時受信の場合に伝送エラーを訂正するための本発明による符号化技術の一例を説明する。
【００５０】
２．本発明の端末装置の正しい動作のための前提条件
以上に説明したことに加えて、本発明の端末装置は、様々な搬送波に対応するクロック群を有していなければならない。
【００５１】
この目的で、特にノードＢにおける無線リソースを管理するために必要なプロトコルを以下に簡単に説明する。
【００５２】
後に再び参照する図２および３に示すとおり、ＵＭＴＳネットワークは、非常に概略的にではあるが、本発明の理解に役立つのに十分なだけ現実的に、アクセスネットワークに結合されたコアネットワーク（ＣＮ）と見なすことができ、アクセスネットワークは、
Ｉｕインターフェースを介してコアネットワークＣＮに結合された複数の無線ネットワークコントローラ（ＲＮＣ）ノードと、
ノードＢと呼ばれる複数の基地トランシーバ局であって、無線区域を各々がカバーし、モバイル電話機などの１つまたは複数のユーザ端末装置（ユーザ装置ＵＥとしても知られる）が内部に位置することが可能な１つまたは複数のセルに各々が関連し、一般に、地上インターフェースである論理インターフェースＩｕｂを介してＲＮＣ群の１つに単独で、または少なくとも２つのグループで結合された局とを含む。このインターフェースＩｕｂは、例えば、異なるタイプの伝送遅延を有するケーブル接続またはＬＤＭＳ（固定無線）接続を含むことが可能である。
【００５３】
これらのコンポーネント群は、分散プロトコルスタックを使用する当業者にはよく知られた、異なる機能を有する。本発明の端末装置は、少なくとも１つのノードＢの無線リソースを使用するものとされ、ノードＢ無線リソースを管理することに関与するプロトコルだけを以下に簡単に説明する。すなわち、
ユーザ装置ＵＥとノードＢの間でコールをセットアップする際、およびコールを終話させる際に特に使用されるシグナリング接続を管理する無線リソース制御（ＲＲＣ）モジュール（またはレイヤ）；例えば、ＲＲＣモジュールは、セルのある無線パラメータに関連する情報をブロードキャスト制御チャネル（ＢＣＣＨ）のシステムブロックの中に挿入する、
２つのネットワーク装置間におけるデータのトランスポートを管理し、特にシステム情報ブロックをトランスポートブロックにセグメント化する無線リンク制御（ＲＬＣ）モジュール（またはレイヤ）、
ノードＢによって管理される様々なトランスポートチャネル上でデータを多重化する機能、つまり、ＢＣＣＨを含む様々なチャネルのスケジュール設定を扱う媒体アクセス制御（ＭＡＣ）モジュール（またはレイヤ）、
ネットワークデータトランスポートプロトコルに対するＵＴＲＡＮ無線プロトコルの、特にＲＬＣレイヤおよびＭＡＣレイヤの独立を管理し、データまたはデータパケットヘッダの圧縮を扱うパケットデータコンバージェンスプロトコル（ＰＤＣＰ）モジュール（またはレイヤ）、
無線インターフェースにおいてマルチメディアデータを含むあらゆるタイプのデータのブロードキャストを管理するブロードキャスト／マルチキャスト制御（ＢＭＣ）モジュール（またはレイヤ）、
無線インターフェースの物理レイヤを構成し、符号化機能、インターリーブ機能、および変調機能を扱う、モデムとも呼ばれる物理（ＰＨＹ）モジュール（またはレイヤ）、
インターフェースＩｕｂを介するトランスポートブロックのトランスポート、ノードＢへのＲＮＣ電力制御情報のトランスポート、トランスポートチャネル同期機構のサポート、ノードＢ同期機構のサポート、およびＲＮＣからノードＢへの無線インターフェースパラメータの転送を特に管理するフレームプロトコル（ＦＰ）モジュール（またはレイヤ）、および
ノードＢによって制御されるセル群の構成、共通トランスポートチャネル、ノードＢがその無線リソースのステータスをＲＮＣに知らせることを可能にする「リソース」イベント、およびＲＮＣとノードＢがそれぞれが同一の無線リソース構成情報を有することを検証できるようにし、適宜、その情報を調整できるようにする構成の調整を、特に管理するノードＢアプリケーション部（ＮＢＡＰ）モジュール（またはレイヤ）である。
【００５４】
端末装置が同期されている様々な搬送波（少なくともセルラーネットワークページング搬送波およびブロードキャスト搬送波を意味する）に関連するＰＤＣＰ／ＢＭＣレイヤ、ＲＲＣレイヤ、ＲＬＣレイヤ、およびＭＡＣレイヤの構成およびクロックパラメータは、ユーザ装置ＵＥおよびＲＮＣに分散される（図５を参照）。ＰＨＹレイヤは、ユーザ装置ＵＥおよびノードＢに分散される。ＦＰレイヤおよびＮＢＡＰレイヤは、ノードＢおよびＲＮＣに分散され、ノードＢおよびＲＮＣは、ノードＢをＲＮＣにリンクする（例えば、ケーブルリンクまたは無線（ＬＤＭＳ）リンクを使用して）レイヤＬ１をさらに含む。
【００５５】
したがって、ＵＭＴＳネットワークおよびマルチメディアコンテンツブロードキャストネットワークによって使用されるＰＤＣＰ／ＢＭＣレイヤ、ＲＲＣレイヤ、ＲＬＣレイヤ、ＭＡＣレイヤ、およびＰＨＹレイヤのパラメータは、端末装置のメモリシステム１９に分散され、ＵＭＴＳネットワーク、およびマルチメディアコンテンツをブロードキャストするためのシステムの搬送波のそれぞれのクロックおよび構成を端末装置ＵＥに提供する。
【００５６】
３．伝送エラー訂正符号化技術
本発明のこの実施形態は、マルチメディアコンテンツ搬送波上で継続的にブロードキャストされるデジタル信号と、ＧＳＭまたはＵＭＴＳの音声搬送波からの定期的なコール信号を同時に、デジタル信号の場合における受信品質の低下なしに、受信することができるような形で本発明の端末装置を実施することを提案する。
【００５７】
この目的で、コール信号の周期と同程度の伝送遅延を受ける最小の冗長率、すなわち、１対１の冗長性（欠落した記号１つにつき１つの冗長記号）を有するエラー訂正符号化を継続的にブロードキャストされるデジタル信号の中に導入することを提案する。
【００５８】
本発明のシステムは、３Ｇモバイルネットワークについてのマルチメディアブロードキャストマルチキャストサービス（ＭＢＭＳ）として知られるマルチメディアコンテンツをブロードキャストすることに専用のマルチキャストレイヤを含む。システムは、静止衛星セグメントと、高いブロック率を有する都市部および都市周辺部における地上中継器群とを含む複合アーキテクチャに基づく。
【００５９】
本発明のブロードキャストシステムのトランスポートレイヤの中に効率的で堅牢な機構が設置されて、以下のような伝送エラーを訂正する。すなわち、
急速なフェージング、
端末装置がもはや衛星から直接的な視野内にない場合、および端末装置が地上中継器の有効範囲外にある場合の、一時的なブロック、および
特許第１０４３９２号に記載されているように、２Ｇネットワークを介してルーティングされたページングメッセージを受信するための各４８０ミリ秒の各期間中のおよそ、せいぜい４８ミリ秒の中断である。
【００６０】
後者のポイント、すなわち、２Ｇネットワーク上のコール信号（ページングメッセージ）をリッスンすることに関連する一連の中断は、ＵＭＴＳ物理レイヤを復号化した後におよそ１０％未満のバイナリエラー率（ＢＥＲ）を生じさせるため、最も深刻なエラーの源である。
【００６１】
このエラー率は、他のすべての外乱によって生じるおよそ１％のＢＥＲと比較されるべきものである。
【００６２】
端末装置がどのようにＵＭＴＳ波形の受信を処理するかは、端末装置の下位レイヤに関して同一の（ＵＭＴＳ）仕様を再使用するために変更されない。受信機は、（ＵＭＴＳまたはＧＳＭ）セルラーネットワークの搬送波に切り替えた後、ブロードキャスト搬送波をもはや受信しなくなったとき、最終的に非同期化する。
【００６３】
したがって、ユーザデジタル信号上に均等に配分される冗長記号を追加することにより、ブロードキャストメッセージの中断を阻止することができるエラー訂正符号化を規定することが提案されるのは、最上位レイヤにおいてである。
【００６４】
従来の技術
欠落した情報を回復するために必要な局所的な冗長率は、周期的に変化し、冗長率の平均値は、平均でメッセージの中の１０％より多くの、誤った記号を阻止しなければならないため、比較的高い。
【００６５】
畳み込み符号化は、この場合に想定されるハード復号化に最適ではなく、これは、アプリケーションレイヤの中、すなわち、波形受信機の外部だからである。さらに、畳み込み符号化は、本来的に周期構造向けに設計されておらず、短い制約された長さを有する。
【００６６】
ブロック符号は、定義により、周期的であり、パラメータ化可能なフレーム長を有する。
【００６７】
ガウス白色雑音チャネル上の検出符号および訂正符号で使用されるブロック符号は、少なくとも２対１の冗長性（訂正される記号１つ当たり２つの冗長記号）を要求する。
【００６８】
グループ化されたエラーを有するチャネル上の最適な符号は、非バイナリの記号上で規定することができるリードソロモン符号である。リードソロモン符号は、２対１の冗長性しか必要としない。
【００６９】
ｋ個のペイロード記号当たりｑビットのｎ個の伝送される記号を含むリードソロモン符号は、ｄ＝ｎ−ｋ＋１個の記号のワード間の距離をもたらすことを想い起こされたい。この距離を利用して、メッセージに中にランダムに配置されたｔ個の記号エラーのあらゆる組み合わせを、２ｔ≦ｎ−ｋであるという条件付きで、訂正することができ、すなわち、符号の中でその位置が分かっていない１つの誤った記号を訂正するのに少なくとも２つの冗長記号が要求される。
【００７０】
しかしながら、高いＢＥＲ（１０％）のために、１デシベル程度（０．８ｄＢ）の信号対雑音比に対するエネルギー上のペナルティに加えて、復号器におけるエラー検出−復号の複雑さが、検出され、訂正されるべきエラーの数ｔとともに増大する。
【００７１】
発明：
本発明によれば、リードソロモン符号化構造が、やはりアプリケーションレベルで使用される。
【００７２】
さらに、本発明は、２つの搬送波に共通の復調器からの消失された記号位置情報を使用して、その情報をリードソロモン復号器に伝えることを教示する。
【００７３】
これにより、ＲＳ復号器が、誤った記号の位置を検出するために復号化能力の一部（実際、その能力の半分）を失うことが回避される。
【００７４】
したがって、ｋ個のペイロード記号当たりｎ個の伝送される記号を含む、すなわち、ｄ＝ｎ−ｋ＋１個の記号のワード間の同一の距離をもたらす同一のリードソロモン符号に関して、一般的公式は、ｔ個の誤った記号とｅ個の削除された記号の任意の組み合わせが、２ｔ＋ｅ≦ｎ−ｋであるという条件付きで訂正されることが可能であることが示される。
【００７５】
復号化能力のすべてが、削除された記号のパラメータｅにおいて実現されることが可能である。
【００７６】
ｔ≒０であると、１つの削除された記号を訂正するのに１つの冗長記号のみが要求される。
【００７７】
このため、実際的で容易な実施を実現する目的で最小の理論上の冗長性が提案される。
【００７８】
削除された領域の知識
コール信号をリッスンしている間に削除されたデータ領域は、ＧＳＭ／ＧＰＲＳ搬送波の切り替えの時点、およびそれによりもたらされたＷ−ＣＤＭＡ  ＵＴＲＡ  ＦＤＤマルチメディアコンテンツ搬送波をリッスンすることの中断からアクセス可能である。
【００７９】
これらの時点は、専用搬送波上で受信されたマルチメディアコンテンツデータを復号化するために使用される時間構造との関係で定めることができる。
【００８０】
端末装置は、削除されたマルチメディアコンテンツデータを推定し、提供された冗長情報を使用して訂正を実行することができる。
【００８１】
この方法がうまく行くには、実際に削除された領域が画定されることが確実でなければならない。前述した４８ミリ秒の中断は、ページングから戻る切り替え後の受信機同期時間により生じる増加の要因、および切り替えの時刻についての不確かさを考慮に入れている。
【００８２】
標準サイズＲＳ構造の使用；インターリーブの導入
標準サイズの（すなわち、比較的小さい）ＲＳ符号は、個々のＲＳ符号に関する前述した冗長率を大幅に増加させることなしに、使用され、インターリーブされることが可能である。
【００８３】
ランダムに分散された誤った記号の場合、短いインターリーブされたＲＳ符号を規定することは、ＲＳ符号の各々の個々の冗長性を増加させる欠点を有すし、これは、所与のブロック率に関して、最大数の記号エラーに出会うＲＳ符号が、元の情報を回復することができなければならないからである。
【００８４】
この状況では、削除の位置は分かっており、削除はグループ化される。削除そのものが、デインターリーブの後、ＲＳ復号化前に均等に分布して現れるには、ＲＳ符号化器の後にインターリーバにより均等に分散された形で符号化された記号を分散させるだけで十分である。したがって、単一の長いＲＳ符号に対して規定される冗長率と比べて、個々のＲＳ符号の冗長率を高くする必要はない。
【００８５】
しかしながら、ＲＳ符号同期ワードが提供されなければならないことに留意されたい。ＲＳ符号同期ワードも均等に配分されなければならない。
【００８６】
この実施形態で考えられる標準サイズは、次のとおりであり、８ビットの記号、ｎ＝２５５個の符号化された記号、ｋ＝２３１個のペイロード記号である。
【００８７】
考えられるＲＳ符号の数は、およそ１００個である。
【００８８】
伝送遅延を最小限に抑えるためにインターリーバ、好ましくは、畳み込みインターリーバを使用すること
２つのタイプの従来技術のインターリーバ、すなわち、データをブロックで格納してからそのブロックを分散させることを前提とし、自由にパラメータ化可能であるブロックインターリーバ、及びパラメータ化の自由を犠牲にして、インターリーブ遅延および使用されるメモリを最小限に抑えようと努める構造を有する畳み込みオンザフライインターリーバが存在する。
【００８９】
それぞれのタイプのインターリーバの特徴を以下に簡単に説明する。
【００９０】
ブロックインターリーブ：伝送されるべきデータが、例えば、上流側（ベースバンド）で行ごとに書き込みモードでアクセスされ、下流側（ＩＦ変調器に向かって）列ごとに読み取りモードでアクセスされる２次元（ｎ１、ｎ２）の長方形のテーブルの中に格納される。受信機におけるブロックデインターリーブの動作は、長方形のテーブル（ｎ２、ｎ１）と対称的である。ｎ１とｎ２の値は、独立に選択され、この動作が要する時間は、送信側と受信側における格納する時間の合計、すなわち、２ｎ１ｎ２に等しい。
【００９１】
畳み込みインターリーブ：この形態のインターリーブは、データ伝送遅延を最小限に抑えることを目的とする。データは、長方形のテーブルの中に格納されるのではなく、インターリーバとデインターリーバにおける数と位置が非対称的であるシフトレジスタから、三角形のテーブルの中に、格納される。畳み込みインターリーバ／デインターリーバが要する時間は、ブロックインターリーバの取る時間の半分であり、（ｎ２−１）（ｎ１＋１）程度である。
【００９２】
削除で使用されるＲＳ符号の復号化能力の公式、および畳み込みインターリーブの原理は、「ＩＥＥＥ  Ｔｒａｎｓａｃｔｉｏｎｓ  ｏｎ  Ｃｏｍｍｕｎｉｃａｔｉｏｎｓ  Ｔｅｃｈｎｏｌｏｇｙ」Ｖｏｌ．Ｃｏｍ−１９，Ｎｏ５，１９７１年１０月に掲載されたＦｏｒｎｅｙによる論文「ＢＵＲＳＴ−ＣＯＲＲＥＣＴＩＮＧ  ＣＯＤＥＳ  ＦＯＲ  ＴＨＥ  ＣＬＡＳＳＩＣ  ＢＵＲＳＴＹ  ＣＨＡＮＮＥＬ」の７７４ページで説明されていることに留意されたい。しかしながら、敵対者によってもたらされる意図的な伝搬フェージングに対抗するために軍事用途で最初、設計されたこの公式は、切り替え時刻が分かっている民間分野で全く使用されていなかった。従来の技術では、損失を意図的にもたらすのは受信機であり、伝搬ではなく、本発明による問題解決法は、畳み込みインターリーブの複雑な技術に対応しない分野（民間の）におけるこの新たな用途により、発明の性質を明確に実証し、この新たな用途が、当業者の先入観を克服しなければならなかったことを実証している。
【００９３】
結論として、この符号化の問題解決法の利点は、エネルギーの点で最適でありながら、端末装置の物理レイヤに影響を与えないことであることに留意されたい。
【００９４】
ソフトウェア（および、適宜、ハードウェア）の変更が、受信端末装置（より上位のレイヤ）においてだけ要求され、これは、より容易である。
【００９５】
４．マルチメディアコンテンツブロードキャストネットワークのアーキテクチャ
次に、図２および３をより詳細に説明する。
【００９６】
図２は、マルチメディアコンテンツブロードキャストネットワークが接続されたＧＭＳ／ＧＰＲＳ／ＵＭＴＳネットワークを示している。
【００９７】
ブロードキャストネットワークは、ブロードキャストマルチキャストサービスセンタＢＭ−ＳＣと、衛星アクセスネットワーク２１とを含む。
【００９８】
衛星アクセスネットワーク２１は、マルチメディアコンテンツ送信衛星１８の「ハブ」として知られるマルチメディアコンテンツ衛星コンセントレータ２２と、端末装置２０に送信されるマルチメディアコンテンツの地上中継器２４とを含む。
【００９９】
図２に示した実施形態は、より詳細には、当業で知られている人が、衛星バックハウリング（ｂａｃｋｈａｕｌｉｎｇ）と呼ぶものに専用である。これは、図示していない本発明の異なる実施形態では、ノードＢおよびＲＮＣを介して端末装置２０（ユーザ装置ＵＥ）とコアネットワークＣＮの間の地上リンクを介して巡回することが可能なすべてのマルチメディアコンテンツトラフィックを、衛星リンクを介して転送することである。
【０１００】
この場合、衛星アクセスネットワーク２１が使用される。コンセントレータ２２は、インターフェースＧｍｂまたはＧｉを介してＢＭ−ＳＣに接続される。ＢＭ−ＳＣ装置およびインターフェースＧｍｂおよびＧｉは、マルチメディアブロードキャストサービス（ＭＢＭＳ）アーキテクチャの中に導入され、３ＧＰＰ標準のバージョン６、「３ＧＰＰ  ＴＳ２２．１４６，Ｍｕｌｔｉｍｅｄｉａ  Ｂｒｏａｄｃａｓｔ／Ｍｕｌｔｉｃａｓｔ  Ｓｅｒｖｉｃｅ  ｓｔａｇｅ  １」および「３ＧＰＰ  ＴＲ２３．８４６，Ｍｕｌｔｉｍｅｄｉａ  Ｂｒｏａｄｃａｓｔ／Ｍｕｌｔｉｃａｓｔ  Ｓｅｒｖｉｃｅ  Ａｒｃｈｉｔｅｃｔｕｒｅ  ａｎｄ  Ｆｕｎｃｔｉｏｎａｌ」において現在、標準化が行われている。３ＧＰＰネットワークの一部として当業者によく知られている図２１のその他の機能ブロック群は、簡明にするために説明しないことに留意されたい。本発明の基本的な要素だけを説明する。
【０１０１】
ＢＭ−ＳＣ
ＢＭ−ＳＣは、マルチメディアコンテンツブロードキャストサービスの提供を扱う。ＢＭ−ＳＣは、コンテンツプロバイダ２５、２５’のＭＢＭＳ送信のアクセスポイントとしての役割をすることが可能であり、ＰＬＭＮにおいてＭＢＭＳデータをトランスポートする搬送波を開始し、ＭＢＭＳ送信をプログラミングし、伝送する。
【０１０２】
ＢＭ−ＳＣは、様々なコンテンツプロバイダから来るコンテンツを収集する（プロバイダは、プロバイダ２５のように、３ＧＰＰネットワークの一部、またはプロバイダ２５’のように、インターネットなどの３ＧＰＰネットワークに接続された公共データネットワークの一部であることが可能なことに留意されたい）。グループ化されると、様々なコンテンツは、符号化され、インデックスを付けられ、著作権符コードおよび版権コードを付けられる。次に、ＢＭ−ＳＣは、それらのコンテンツをプログラミングし、適切な送信搬送波上に多重化する。
【０１０３】
ＢＭ−ＳＣは、それに割り当てられた無線リソースを完全に使用することを確実にするための専用機能群を有する。その機能群は、以下を含む。すなわち、
ブロードキャストシステムによって提供される有効範囲の容量の宣言、
サービス品質制約、ならびにコンテンツのブロードキャストに関連する目標の対象ユーザを考慮に入れて、マルチメディアシステムまたはＰＬＭＮの有効範囲にわたる送信搬送波を選択するためのサービス品質（ＱｏＳ）に基づくルーティング技術、および
媒体リソース制約を考慮に入れたプログラミング技術である。
【０１０４】
衛星コンセントレータ
衛星コンセントレータ２１は、Ｗ−ＣＭＤＡ  ＵＴＲＡ  ＦＤＤ波形信号上にマルチメディアコンテンツ送信搬送波を変調することを扱う。衛星コンセントレータは、その信号を固定衛星システム（ＦＳＳ）周波数帯域で衛星に転送する。
【０１０５】
コンセントレータは、Ｉｕインターフェースを介して３ＧＰＰ  ＲＮＣ２７に接続された、ＢＭ−ＳＣからデータを受信するＳＤＭＢ−ＳＮマルチメディアゲートウェイ２６を含み、３ＧＰＰ  ＲＮＣ２７は、Ｉｕｂインターフェースを介してＷＣＤＭＡモデム２９、ならびに地上中継器送信機へのハブＨＴＴＲ  Ｔｘ２８に接続される。
【０１０６】
マルチメディアゲートウェイ２６の機能は、ＢＭ−ＳＣとコンセントレータの標準のＲＮＣを互いに接続することである。このゲートウェイは、３ＧコアネットワークのＧＧＳＮおよびＳＧＳＮから、または専用装置から構成することができる。
【０１０７】
ＲＮＣは、衛星のゾーンビームで再送信されるＷＣＤＭＡ信号を生成するようにそれぞれが構成された複数のＷＣＤＭＡモデムを制御する。
【０１０８】
また、ＲＮＣは、３Ｇ基地局内またはノードＢ内に設置された地上中継器群のＷＣＤＭＡモデムも制御する。ＲＮＣは、ＨＴＴＲ  Ｔｘモジュール、および対応する地上中継器受信機へのハブＨＴＴＲ  Ｒｘ３０を介して地上中継器の各々のＷＣＤＭＡモデムに接続される。図２は、地上中継器２４だけを示している。理解を助けるため、図３は、地上受信機のＨＴＴＲ  Ｒｘモジュールに接続された地上中継器２４のＷ−ＣＤＭＡモデムを組み込んだ３ＧのノードＢまたは基地局を示している。
【０１０９】
ＨＴＴＲ  Ｔｘモジュールは、３ＧＰＰによって標準化された双方向のＩｕｂインターフェースを単方向のインターフェースに変換する。ＨＴＴＲ  Ｔｘモジュールで、ＨＴＴＲ  Ｒｘモジュールはエラーのない伝送をセットアップする非常に効率的なトランスポートプロトコルを実施する。ＨＴＴＲ  Ｔｘモジュールは、例えば、静止衛星遠隔通信システム技術を使用し、固定衛星サービス（ＦＳＳ）帯域で動作される搬送波を送信するためのモデムを使用する。単方向のＩｕｂ情報が、この搬送波上に変調される。
【０１１０】
ＲＦアンテナステージが、モデム２９によって生成されたＷＣＤＭＡ信号、およびモジュール２８によって生成された信号を衛星に伝送するために、固定衛星サービス（ＦＳＳ）に増幅し且つ変換する。
【０１１１】
衛星１８が、モデム２９からＷＣＤＭＡ信号を受信し、その信号を増幅して、ＭＳＳシステムに割り当てられたＩＭＴ２０００帯域にそれらを変換する。衛星１８は、モジュール２８によって生成された信号を受信し、その信号を増幅し、その信号の周波数を別のＦＳＳ搬送波の周波数に変換する。これら２つの信号は、同一の広い地理的区域にわたってブロードキャストされる。
【０１１２】
地上中継器ネットワーク
地上中継器ネットワークは、図３に示すとおり、３Ｇネットワークの基地局３１内に設置された複数の地上中継器に基づく。これにより、新たなサイトの必要性がなくなる。それでも、このアーキテクチャは、衛星から受信されたＷ−ＣＤＭＡ信号を再び増幅して、トンネル、地下の区域などの特定の閉じた区域のカバレッジを提供する「オンチャネル」地上中継器群を配備する要求を満たすことに留意されたい。
【０１１３】
３Ｇ基地局は、ＵＭＴＳ基地局（ノードＢ）またはＧＳＭ基地局（ＢＴＳ）であり、１組のＷＣＤＭＡ  ＵＴＲＡ  ＦＤＤモデム３２（ＵＴＲＡ  ＴＤＤ技術は、本発明の文脈では考慮されない）を含むことに留意されたい。各モデム３２は、地上ＵＭＴＳ搬送波上に変調されたＷ−ＣＤＭＡ信号（第３世代の地上モバイルシステムに割り当てられた高いビットレートの送信用に確保されたＩＭＴ２０００周波数帯域における）を送受信することができる。基地局製造業者ごとに異なる詳細な実施形態にも関わらず、モデム３２は、アンテナ３６のアレイによって無線インターフェースを介して送信／受信される信号を増幅し、濾波する無線周波数送信／受信部（ＲＦ  Ｔｘ／Ｒｘ）３３に接続される。
【０１１４】
ＷＣＤＭＡモデムは、３ＧＰＰ標準のＩｕｂプロトコル、及び通常は独自のプロトコルであるＯ＆Ｍプロトコルをサポートするインターフェースを介してＲＮＣに接続する。Ｏ＆Ｍプロトコルは、ノードＢのモデムを構成し、制御するのに使用される。
【０１１５】
地上中継器２４は、標準のＷ−ＣＤＭＡモデム３４、ならびに受信地上局のアンテナ３５に関連するＨＴＴＲ  Ｒｘモジュール３０に基づく。
【０１１６】
ＨＴＴＲ  Ｒｘモジュール３０は、ＨＴＴＲ  Ｔｘモジュール２８によって送信された信号を受信する。衛星１８、モジュールＨＴＴＲ  ＴｘおよびＨＴＴＲ  Ｒｘ、ならびにＳＤＭＢ−ＳＮの間の衛星リンクは、Ｉｕｂｓａｔｅｌｌｉｔｅインターフェースを構成する。モデム３４は、ＨＴＴＲ  Ｒｘモジュールによって受信された情報を、モバイル衛星システムに割り当てられたＩＭＴ２０００周波数帯域におけるＷＣＤＭＡ  ＵＴＲ  ＦＤＤダウンリンク搬送波上に変調する。
【０１１７】
モジュール３０は、Ｉｕｂインターフェースを介してモデム３４に接続される。また、モジュール３０は、モデム３４から見て、ＲＮＣプロキシの役割をする。
【０１１８】
ＨＴＴＲ  Ｒｘモジュール３０は、ＨＴＴＲ  Ｒｘモジュール２８によって送信された情報を抽出し、その情報をモデム３４に転送して、情報が、端末装置２０を宛先とするＷＣＤＭＡ信号上に変調されることが可能であるようにする。
【０１１９】
中継器２４の運用およびメンテナンスは、基地局コントローラＲＮＣの責務である。
【０１２０】
さらに、コヒーレントな再結合を確実にするため、システムは、端末装置２０に直接に到達するＷＣＤＭＡ衛星信号２０、および中継器群を介して端末装置に到達する信号が、レイク受信窓の範囲内で端末装置によって受信されることを確実にしなければならない。
【０１２１】
これは、中継器群から着信する信号の伝搬遅延が分かっており、一定であり、かつ、２つの経路間の遅延の差が、端末装置のレイク受信窓のサイズより小さい場合に可能になる。したがって、衛星コンセントレータのＲＮＣは、直接衛星／端末装置経路の信号を地上中継器群を介する間接的な信号に関して告げられる遅延に合わせて遅延させなければならない。
【０１２２】
この目的で、コンセントレータの装置は、当技術分野で知られるグローバルナビゲーション衛星システムの受信機によって与えられる非常に安定したクロックによってクロック制御されなければならない。さらに、各ＨＴＴＲ  Ｒｘモジュールが、同一のグローバルナビゲーション衛星システムの受信機によって与えられる高い安定度のクロックによってクロック制御されなければならない。
【０１２３】
本システムは、ＵＭＴＳの同期手続きを使用して、地上中継器群のすべてを経由する伝送遅延を一定で、同一に保つ。
【０１２４】
以上、本発明を、ＵＭＴＳに関連して、第３世代（３Ｇ）セルラーネットワークに関わるアプリケーションにおいて説明してきたが、本発明は、必要な改変を施して、他のタイプのネットワーク、例えば、ＣＤＭＡ２０００ネットワークにも適用される。
【図面の簡単な説明】
【０１２５】
【図１】本発明の端末装置の一実施形態を示す図である。
【図２】ブロードキャストシステムの一実施形態に結合されたセルラーネットワークを示す図である。
【図３】本発明による中継器を組み込んだＵＭＴＳ基地局を示す図である。
【図１】
2005518704.tif 000003
【図２】
2005518704.tif 000004
【図３】
2005518704.tif 000005
【国際調査報告】
2005518704.tif 000006
2005518704.tif 000007
2005518704.tif 000008
2005518704.tif 000009
2005518704.tif 000010
2005518704.tif 000011
2005518704.tif 000012
2005518704.tif 000013
2005518704.tif 000014